(57)【要約】  【課題】  安価に光ヘッドの内周端位置を検知できる光ピックアップ装置を提供する。  【解決手段】  シャーシ１に固定された回路基板２０に、金属製の第１、第２の線状端子３１、３２がスイッチ部材３０として実装される。第１の線状端子３１は、一端部３１ａが回路基板２０に接続され、他端部３０ｃが起立する。第２の線状端子３２は、一端部３２ａが回路基板２０に接続され、他端部３２ｃが第１の線状端子３１の他端部３１ｃに弾性的な復元力で押圧接触する。シャーシ１に支持されて往復移動する光ヘッド１０が内周端位置から離れているとき、第１、第２の線状端子３１、３２同士の押圧接触により両者が接続される。光ヘッド１０が内周端位置に達するとき、光ヘッド１０の突起１３が第２の線状端子３２の他端部３２ｃを復元力に抗して押し込むことにより、その他端部３２ｃが第１の線状端子３１の他端部３１ｃから離れて両者の接続が解除される。【選択図】      図３
0003111233.tif 000002
【実用新案登録請求の範囲】
【請求項１】
光ディスクが挿脱されるメインシャーシと、
このメインシャーシ内に挿入された前記光ディスクの記録面に対して接近／離間移動す
るように前記メインシャーシに支軸を中心として回動可能に支持され、最接近状態で前記
光ディスクが収納されるドライブシャーシと、
このドライブシャーシに支持されて前記光ディスクの記録面に沿う径方向に往復移動す
る光ヘッドと、
この光ヘッドが前記光ディスクの内周側の移動限界に達しているか否かで接続状態が切
り換わるスイッチ部材を実装した回路基板と、を備えた光ピックアップ装置であって、
前記回路基板が前記ドライブシャーシに固定され、前記スイッチ部材がプッシュスイッ
チであり、前記光ヘッドが移動方向のうちの前記光ディスクの内周側に向く方向に突出す
る突起を有しており、
前記光ヘッドが前記移動限界から離れているとき、前記プッシュスイッチの押ボタンが
上がったままでＯＦＦ状態となり、前記光ヘッドが前記移動限界に達するとき、前記突起
が前記プッシュスイッチの押ボタンに当接してそのまま前記押ボタンを押し下げることに
よってＯＮ状態となる光ピックアップ装置において、
前記スイッチ部材は、前記プッシュスイッチに代えて、
一端部が前記回路基板に形成された貫通孔を挿通して前記回路基板の裏面上の回路に半
田付けされて接続されるとともに、他端部が起立した、ニッケルメッキが施された硬鋼線
の第１の線状端子と、
一端部が前記回路基板に形成された貫通孔を挿通して前記回路基板の裏面上の回路に半
田付けされて接続されるとともに、他端部が前記第１の線状端子の他端部に弾性的な復元
力で押圧接触した、ニッケルメッキが施された硬鋼線の第２の線状端子と、より成ってお
り、
前記第１、第２の線状端子が捩りコイルバネ状であって、その各コイル部分が、合成樹
脂製の前記ドライブシャーシと一体成型されて成る、前記回路基板から突出する各凸軸に
挿し込まれ、
前記第１の線状端子の他端部における先端部分が前記押圧接触の方向とは反対方向に折
れ曲がって伸び出し、
前記第２の線状端子の他端部における先端部分が前記押圧接触の方向に折れ曲がって伸
び出しており、
前記光ヘッドが前記移動限界から離れているとき、前記第１の線状端子の他端部と前記
第２の線状端子の他端部との前記押圧接触によって、両者が接続され、前記光ヘッドが前
記移動限界に達するとき、前記突起が前記第２の線状端子の他端部における前記第１の線
状端子との押圧接触部分よりも一端部寄りに当接してそのまま前記第２の線状端子の他端
部を前記押圧接触の方向とは反対方向に押し込むことによって、前記第２の線状端子の他
端部が前記第１の線状端子の他端部から離れて両者の接続が解除されることを特徴とする
光ピックアップ装置。
【請求項２】
光ディスクが収納されるシャーシと、
このシャーシに支持されて前記光ディスクの記録面に沿う径方向に往復移動する光ヘッ
ドと、
この光ヘッドが前記光ディスクの内周側の移動限界に達しているか否かで接続状態が切
り換わるスイッチ部材を実装した回路基板と、を備えた光ピックアップ装置において、
前記回路基板が前記シャーシに固定され、
前記スイッチ部材は、
一端部が前記回路基板の回路に接続されるとともに、他端部が起立した金属製の第１の
線状端子と、
一端部が前記回路基板の回路に接続されるとともに、他端部が前記第１の線状端子の他
端部に弾性的な復元力で押圧接触した金属製の第２の線状端子と、より成っており、
前記光ヘッドが前記移動限界から離れているとき、前記第１の線状端子の他端部と前記
第２の線状端子の他端部との前記押圧接触によって、両者が接続され、前記光ヘッドが前
記移動限界に達するとき、前記光ヘッドが前記第２の線状端子の他端部に当接してそのま
ま前記第２の線状端子の他端部を前記押圧接触の方向とは反対方向に押し込むことによっ
て、前記第２の線状端子の他端部が前記第１の線状端子の他端部から離れて両者の接続が
解除されることを特徴とする光ピックアップ装置。
【請求項３】
前記光ディスクが挿脱されるメインシャーシを備え、
前記シャーシは、前記メインシャーシ内に挿入された前記光ディスクの記録面に対して
接近／離間移動するように前記メインシャーシに支軸を中心として回動可能に支持され、
最接近状態で前記光ディスクが収納されるドライブシャーシであることを特徴とする請求
項２に記載の光ピックアップ装置。
【請求項４】
前記第２の線状端子の一端部が、前記回路基板に形成された貫通孔を挿通して裏面上の
前記回路に半田付けされて接続されていることを特徴とする請求項２又は３に記載の光ピ
ックアップ装置。
【請求項５】
前記第２の線状端子は、ニッケルメッキが施された硬鋼線であることを特徴とする請求
項４に記載の光ピックアップ装置。
【請求項６】
前記第２の線状端子が捩りコイルバネ状であって、そのコイル部分が前記回路基板から
突出する凸軸に挿し込まれていることを特徴とする請求項４又は５に記載の光ピックアッ
プ装置。
【請求項７】
前記第１の線状端子の一端部が、前記回路基板に形成された貫通孔を挿通して裏面上の
前記回路に半田付けされて接続されていることを特徴とする請求項２から６のいずれかに
記載の光ピックアップ装置。
【請求項８】
前記第１の線状端子は、ニッケルメッキが施された硬鋼線であることを特徴とする請求
項７に記載の光ピックアップ装置。
【請求項９】
前記第１の線状端子が捩りコイルバネ状であって、そのコイル部分が前記回路基板から
突出する凸軸に挿し込まれていることを特徴とする請求項７又は８に記載の光ピックアッ
プ装置。
【請求項１０】
前記凸軸が合成樹脂製の前記シャーシと一体成型されて成ることを特徴とする請求項６
又は９に記載の光ピックアップ装置。
【請求項１１】
前記第１の線状端子の他端部における先端部分が前記押圧接触の方向とは反対方向に折
れ曲がって伸び出していることを特徴とする請求項２から１０のいずれかに記載の光ピッ
クアップ装置。
【請求項１２】
前記光ヘッドは、前記移動限界に達するときに前記第２の線状端子の他端部に当接して
そのまま前記第２の線状端子の他端部を前記押圧接触の方向とは反対方向に押し込むため
の突起を有することを特徴とする請求項２から１１のいずれかに記載の光ピックアップ装
置。
【請求項１３】
前記突起が前記光ヘッドの移動方向のうちの前記光ディスクの内周側に向く方向に突出
しており、
前記光ヘッドが前記移動限界に達するとき、前記突起が前記第２の線状端子の他端部に
おける前記第１の線状端子との押圧接触部分よりも一端部寄りに当接することを特徴とす
る請求項１２に記載の光ピックアップ装置。
【請求項１４】
前記第２の線状端子の他端部における先端部分が前記押圧接触の方向に折れ曲がって伸
び出していることを特徴とする請求項１３に記載の光ピックアップ装置。
【考案の詳細な説明】
【技術分野】
【０００１】
本考案は、情報記録媒体であるＣＤやＤＶＤ等の光ディスクに対して情報の再生や記録
を行うための光ピックアップ装置に関する。
【背景技術】
【０００２】
一般に多用される据置き型の光ピックアップ装置は、大きくは、メインシャーシと、ド
ライブシャーシとから外形が構成される。メインシャーシは、例えばポリスチレン（ＰＳ
）等の合成樹脂の成型品であり、このメインシャーシには、ディスクトレイが正面から内
外へ挿脱可能に支持されている。そして、メインシャーシの外部へ引き出されたディスク
トレイ上に光ディスクが載置され、そのディスクトレイがメインシャーシの内部へ送り込
まれることによって、メインシャーシ内に光ディスクが挿入される。
【０００３】
続いて、ドライブシャーシの構成について、図７及び図８を参照しながら説明する。図
７及び図８は共にドライブシャーシを下面側から見た斜視図であって、特に、図７は光ヘ
ッドが光ディスクの内周側の移動限界から離れている状態を示し、図８は光ヘッドがその
移動限界に達している状態を示している。
【０００４】
図７及び図８に示すように、ドライブシャーシ１は、例えばポリフェニレンエーテル（
ＰＰＥ）等の合成樹脂の成型品であり、一端１ｃ近傍の左右両側面１ａ、１ｂには、互い
に同軸上に突出する支軸２Ａ、２Ｂが形成されている。これらの各支軸２Ａ、２Ｂがメイ
ンシャーシに回動可能に支持される。そして、ドライブシャーシ１は、メインシャーシに
対して各支軸２Ａ、２Ｂを中心として回動することにより、メインシャーシ内に挿入され
た光ディスクの記録面に対して接近／離間移動し、最接近状態で光ディスクが収納される
。このようなドライブシャーシ１の回動は、ドライブシャーシ１の他端１ｄに突出形成さ
れたピン３が、メインシャーシに取り付けられているスライドカムのカム溝に沿って案内
されることによって行われる。なお、ピン３の傍には、間隔をあけて補助ピン４が突出形
成されており、この補助ピン４は、メインシャーシに形成された案内溝に係合し、ドライ
ブシャーシ１の回動を円滑に行わせるためのものである。
【０００５】
また、ドライブシャーシ１には、光ディスクの記録面に記録されている情報を読み取っ
たり、その記録面に情報を書き込んだりするための光ヘッド１０が搭載されている。この
光ヘッド１０は、大きくは、レーザー光を出射する半導体レーザー等の光源、光源からの
レーザー光に基づく光ディスクからの反射光を最終的に受光して検出し電気信号に変換す
るフォトダイオード等の光検出器、光源からのレーザー光を光ディスクの反射を経て光検
出器まで導く回折格子やハーフミラーや対物レンズ等の光学系、これらの各部品が取り付
けられたベース部材１１、より構成される。
【０００６】
そのベース部材１１は、ドライブシャーシ１に対し、光ディスクの記録面に沿う径方向
に延在するガイドレール５及びガイド軸６に支持されており、その径方向に往復移動可能
になっている。つまり、光ヘッド１０全体がドライブシャーシ１に支持され、光ディスク
の記録面に沿う径方向に往復移動するようになっている。この光ヘッド１０の往復移動は
、ドライブシャーシ１に搭載されている電動モータからの駆動力によって行われる。具体
的には、光ヘッド１０すなわちベース部材１１の側部に取り付けられているスライドラッ
ク１２に、従動ギアが噛合しており、この従動ギアに電動モータの出力が伝達されること
で行われる。なお、その電動モータからの駆動力は、メインシャーシに対してのドライブ
シャーシ１の回動やディスクトレイの挿脱移動にも用いられる。
【０００７】
また、ドライブシャーシ１には、収納した光ディスクを回転させるために、光ディスク
の中心付近をチャッキングするチャッキングプレートや、このチャッキングプレートに回
転力を与える電動モータが搭載されている。
【０００８】
このような光ピックアップ装置では、光ヘッドが光ディスクの記録面に沿う径方向に内
周側から外周側に亘って往復移動するわけであるが、その際、光ヘッドが内周側の移動限
界（以下、「内周端位置」と記すことがある）に達したこと、及びその内周端位置から離
れたことを検知する必要がある。そのため、一般の光ピックアップ装置には、光ヘッドの
内周端位置を検知すべく、光ヘッドが内周端位置に達しているか否かで接続状態が切り換
わるスイッチ部材を実装した回路基板が備えられている。
【０００９】
ここで、光ヘッドの内周端位置を検知するための従来の構造について、図７及び図８に
加え、図９を参照しながら説明する。図９は従来の光ヘッド内周端位置検知構造を示す上
面図であって、図９（ａ）は光ヘッドが内周端位置から離れている状態を示し、図９（ｂ
）は光ヘッドが内周端位置に達している状態を示している。
【００１０】
これらの図に示すように、光ヘッド１０の構成要素であるベース部材１１において、そ
の移動方向のうちの光ディスクの内周側に向く方向での端部には、その内周側に向く方向
に突出する突起１３が形成されている。一方、ドライブシャーシ１には、回路基板２０が
取り付けられて固定されている。この回路基板２０の上面には、ベース部材１１からの突
起１３の突出延長線上に、スイッチ部材３０としてのプッシュスイッチ３５が実装されて
いる。なお、図７及び図８では、回路基板２０を透過して示している。
【００１１】
このような構成のもと、光ヘッド１０が内周端位置から離れているときは、プッシュス
イッチ３０の押ボタン３０ａが上がったままでＯＦＦ状態となる（図７及び図９（ａ）参
照）。この状態から、光ヘッド１０が内周端位置に達するとき、ベース部材１１の突起１
３がプッシュスイッチ３５の押ボタン３５ａに当接してそのまま押ボタン３５ａを押し下
げることによってＯＮ状態となる（図８及び図９（ｂ）参照）。更に、光ヘッド１０がそ
の内周端位置から離れると、ベース部材１１の突起１３がプッシュスイッチ３５の押ボタ
ン３５ａから離れ、これにより押ボタン３５ａが上がってＯＮ状態となる（図７及び図９
（ａ）参照）。こうして、光ヘッド１０が内周端位置に達しているか否かでプッシュスイ
ッチ３５の接続状態のＯＮ／ＯＦＦが切り換わり、光ヘッドが内周端位置に達したこと、
及びその内周端位置から離れたことが検知されるようになる（例えば、特許文献１、２参
照）。
【特許文献１】特開２０００−３３９８３６号公報
【特許文献２】特開平１１−３２８８８７号公報
【考案の開示】
【考案が解決しようとする課題】
【００１２】
ところで、近年の光ピックアップ装置には、より一層のコスト低減が求められている。
このような状況下で、光ヘッドの内周端位置を検知するための構成要素のうち、スイッチ
部材３０として従来用いられているプッシュスイッチ３５は、その果たすべき機能が接続
状態の切換えすなわちＯＮ／ＯＦＦのみであるにもかかわらず、一般には完成部品として
調達しなければならないため、コスト低減を制約する一要因となっている。従って、プッ
シュスイッチ３５を安価なものに替えることができれば、光ピックアップ装置のコスト低
減が大いに期待できると言える。
【００１３】
そこで本考案は、上記の問題に鑑みてなされたものであり、安価な構成で光ヘッドの内
周端位置を検知できる光ピックアップ装置を提供することを目的とするものである。
【課題を解決するための手段】
【００１４】
上記目的を達成するため、本考案は、光ディスクが挿脱されるメインシャーシと、この
メインシャーシ内に挿入された前記光ディスクの記録面に対して接近／離間移動するよう
に前記メインシャーシに支軸を中心として回動可能に支持され、最接近状態で前記光ディ
スクが収納されるドライブシャーシと、このドライブシャーシに支持されて前記光ディス
クの記録面に沿う径方向に往復移動する光ヘッドと、この光ヘッドが前記光ディスクの内
周側の移動限界に達しているか否かで接続状態が切り換わるスイッチ部材を実装した回路
基板と、を備えた光ピックアップ装置であって、前記回路基板が前記ドライブシャーシに
固定され、前記スイッチ部材がプッシュスイッチであり、前記光ヘッドが移動方向のうち
の前記光ディスクの内周側に向く方向に突出する突起を有しており、前記光ヘッドが前記
移動限界から離れているとき、前記プッシュスイッチの押ボタンが上がったままでＯＦＦ
状態となり、前記光ヘッドが前記移動限界に達するとき、前記突起が前記プッシュスイッ
チの押ボタンに当接してそのまま前記押ボタンを押し下げることによってＯＮ状態となる
光ピックアップ装置において、次の点を特徴とする。
【００１５】
前記スイッチ部材は、前記プッシュスイッチに代えて、一端部が前記回路基板に形成さ
れた貫通孔を挿通して前記回路基板の裏面上の回路に半田付けされて接続されるとともに
、他端部が起立した、ニッケルメッキが施された硬鋼線の第１の線状端子と、一端部が前
記回路基板に形成された貫通孔を挿通して前記回路基板の裏面上の回路に半田付けされて
接続されるとともに、他端部が前記第１の線状端子の他端部に弾性的な復元力で押圧接触
した、ニッケルメッキが施された硬鋼線の第２の線状端子と、より成っている。前記第１
、第２の線状端子が捩りコイルバネ状であって、その各コイル部分が、合成樹脂製の前記
ドライブシャーシと一体成型されて成る、前記回路基板から突出する各凸軸に挿し込まれ
ている。前記第１の線状端子の他端部における先端部分が前記押圧接触の方向とは反対方
向に折れ曲がって伸び出している。前記第２の線状端子の他端部における先端部分が前記
押圧接触の方向に折れ曲がって伸び出している。そして、前記光ヘッドが前記移動限界か
ら離れているとき、前記第１の線状端子の他端部と前記第２の線状端子の他端部との前記
押圧接触によって、両者が接続され、前記光ヘッドが前記移動限界に達するとき、前記突
起が前記第２の線状端子の他端部における前記第１の線状端子との押圧接触部分よりも一
端部寄りに当接してそのまま前記第２の線状端子の他端部を前記押圧接触の方向とは反対
方向に押し込むことによって、前記第２の線状端子の他端部が前記第１の線状端子の他端
部から離れて両者の接続が解除される。
【００１６】
このような構成にすると、光ヘッドが内周端位置に達しているか否かで、スイッチ部材
としての第１、第２の線状端子同士の接続／接続解除が切り換わるため、光ヘッドの内周
端位置の検知が行える。しかも、第１、第２の線状端子は金属線素材である硬鋼線である
ため、従来のプッシュスイッチよりもはるかに安価に調達が可能である。
【００１７】
また上記目的を達成するために本考案は、光ディスクが収納されるシャーシと、このシ
ャーシに支持されて前記光ディスクの記録面に沿う径方向に往復移動する光ヘッドと、こ
の光ヘッドが前記光ディスクの内周側の移動限界に達しているか否かで接続状態が切り換
わるスイッチ部材を実装した回路基板と、を備えた光ピックアップ装置において、次の点
を特徴とする。前記回路基板が前記シャーシに固定され、前記スイッチ部材は、一端部が
前記回路基板の回路に接続されるとともに、他端部が起立した金属製の第１の線状端子と
、一端部が前記回路基板の回路に接続されるとともに、他端部が前記第１の線状端子の他
端部に弾性的な復元力で押圧接触した金属製の第２の線状端子と、より成っている。そし
て、前記光ヘッドが前記移動限界から離れているとき、前記第１の線状端子の他端部と前
記第２の線状端子の他端部との前記押圧接触によって、両者が接続され、前記光ヘッドが
前記移動限界に達するとき、前記光ヘッドが前記第２の線状端子の他端部に当接してその
まま前記第２の線状端子の他端部を前記押圧接触の方向とは反対方向に押し込むことによ
って、前記第２の線状端子の他端部が前記第１の線状端子の他端部から離れて両者の接続
が解除される。
【００１８】
このような構成にしても、光ヘッドが内周端位置に達しているか否かで、スイッチ部材
としての第１、第２の線状端子同士の接続／接続解除が切り換わるため、光ヘッドの内周
端位置の検知が行える。しかも、第１、第２の線状端子は金属線素材であるため、従来の
プッシュスイッチよりもはるかに安価に調達が可能である。
【００１９】
ここで、一般に多用される据置き型の光ピックアップ装置であることを前提にすると、
前記光ディスクが挿脱されるメインシャーシを備え、前記シャーシは、前記メインシャー
シ内に挿入された前記光ディスクの記録面に対して接近／離間移動するように前記メイン
シャーシに支軸を中心として回動可能に支持され、最接近状態で前記光ディスクが収納さ
れるドライブシャーシである。
【００２０】
また、回路基板への第２の線状端子の接続状態や固定状態の安定性を考慮すると、前記
第２の線状端子の一端部が、前記回路基板に形成された貫通孔を挿通して裏面上の前記回
路に半田付けされて接続されているとよい。この場合、前記第２の線状端子の素材として
は、ニッケルメッキが施された硬鋼線であることが好ましい。半田付けが可能であるし、
安価で、且つ適度な弾性特性があるからである。特に、回路基板に対する第２の線状端子
の保持状態の安定性や、第１の線状端子に対する第２の線状端子の押圧接触、弾性変形の
安定性を踏まえると、前記第２の線状端子が捩りコイルバネ状であって、そのコイル部分
が前記回路基板から突出する凸軸に挿し込まれているとよい。
【００２１】
また、回路基板への第１の線状端子の接続状態や固定状態の安定性を考慮すると、前記
第１の線状端子の一端部が、前記回路基板に形成された貫通孔を挿通して裏面上の前記回
路に半田付けされて接続されているとよい。この場合、前記第１の線状端子の素材として
は、ニッケルメッキが施された硬鋼線であることが好ましい。半田付けが可能であるし、
安価で、且つ適度な剛性特性があるからである。特に、回路基板に対する第１の線状端子
の保持状態の安定性を踏まえると、前記第１の線状端子が捩りコイルバネ状であって、そ
のコイル部分が前記回路基板から突出する凸軸に挿し込まれているとよい。
【００２２】
ここで、コイルバネ状の第１、第２の線状端子のコイル部分が挿し込まれる凸軸を簡単
に得る観点から、前記凸軸が合成樹脂製の前記シャーシと一体成型されて成ることが好ま
しい。
【００２３】
また、第２の線状端子が第１の線状端子から不用意に外れてしまうのを防止する観点か
ら、前記第１の線状端子の他端部における先端部分が前記押圧接触の方向とは反対方向に
折れ曲がって伸び出していることが好ましい。
【００２４】
また、実用性を踏まえると、前記光ヘッドは、前記移動限界に達するときに前記第２の
線状端子の他端部に当接してそのまま前記第２の線状端子の他端部を前記押圧接触の方向
とは反対方向に押し込むための突起を有することが好ましい。
【００２５】
また、より実用的には、前記突起が前記光ヘッドの移動方向のうちの前記光ディスクの
内周側に向く方向に突出しており、前記光ヘッドが前記移動限界に達するとき、前記突起
が前記第２の線状端子の他端部における前記第１の線状端子との押圧接触部分よりも一端
部寄りに当接するとよい。この場合、第２の線状端子が第１の線状端子から不用意に外れ
てしまうのを防止する観点から、前記第２の線状端子の他端部における先端部分が前記押
圧接触の方向に折れ曲がって伸び出していることが好ましい。
【考案の効果】
【００２６】
本考案の光ピックアップ装置によれば、光ヘッドの内周端位置の検知が行えるし、その
光ヘッドの内周端位置を検知するための構成要素であるスイッチ部材に、安価な第１、第
２の線状端子が用いられることから、結果として光ピックアップ装置のコスト低減が可能
になる。
【考案を実施するための最良の形態】
【００２７】
以下に、本考案の実施形態について図面を参照しながら詳述する。先ず、本考案の第１
実施形態である光ピックアップ装置について説明する。図１及び図２は第１実施形態の光
ピックアップ装置におけるドライブシャーシを下面側から見た斜視図、図３はその光ピッ
クアップ装置における光ヘッド内周端位置検知構造を示す斜視図、図４はその光ピックア
ップ装置における光ヘッド内周端位置検知構造を示す上面図である。特に、図１、図３（
ａ）及び図４（ａ）は光ヘッドが内周端位置から離れている状態を示し、図２、図３（ｂ
）及び図４（ｂ）は光ヘッドが内周端位置に達している状態を示している。なお、これら
図中で、図７〜図９と同じ名称で同じ機能を果たす部分には同一の符号を付し、重複する
説明は適宜省略する。
【００２８】
本実施形態では、光ヘッド１０の内周端位置を検知するためのスイッチ部材３０として
、回路基板２０の上面に、第１の線状端子３１と、第２の線状端子３２とを備える。これ
らの第１、第２の線状端子３１、３２は、共に導電性を有する金属線素材であって、共に
捩りコイルバネ状のものである。なお、図１及び図２では、回路基板２０を透過して示し
ている。
【００２９】
第１の線状端子３１は、その一端部３１ａの先端部分が折れ曲がっており、その先端部
分３１ａａが回路基板２０に形成された貫通孔２１を挿通して回路基板２０の裏面上の回
路に半田付けされて接続されている。これにより、回路基板２０への接続状態や固定状態
が安定する。また、その第１の線状端子３１のコイル部分３１ｂが、回路基板２０から突
出する凸軸２５に挿し込まれており、これにより、回路基板２０に対しての保持状態が安
定する。更に、その第１の線状端子３１の他端部３１ｃが、コイル部分３１ｂから起立し
ている。
【００３０】
一方、第２の線状端子３２は、その一端部３２ａの先端部分が折れ曲がっており、その
先端部分３２ａａが回路基板２０に形成された貫通孔２２を挿通して回路基板２０の裏面
上の回路に半田付けされて接続されている。これにより、回路基板２０への接続状態や固
定状態が安定する。また、その第２の線状端子３２のコイル部分３２ｂが、回路基板２０
から突出する凸軸２６に挿し込まれており、これにより、回路基板２０に対しての保持状
態が安定する。更に、その第２の線状端子３２の他端部３２ｃは、コイル部分３２ｂから
第１の線状端子３１の他端部３１ｃを超える程度まで伸び出し、コイル部分３２ｂを支点
として弾性的な復元力で第１の線状端子３１の他端部３１ｃに押圧接触している。
【００３１】
従って、第２の線状端子３２の他端部３２ｃは、第１の線状端子３１の他端部３１ｃに
対し、何ら外力が与えられない状態では、押圧接触し、これにより導通すなわち電気的に
接続した状態になる（図１、図３（ａ）及び図４（ａ）参照）一方、復元力に抗して外力
が与えられた状態では、両者の押圧接触が離れ、これにより接続が解除された状態になる
（図２、図３（ｂ）及び図４（ｂ）参照）。
【００３２】
第１、第２の線状端子３１、３２の材料としては、表面にニッケルメッキが施された硬
鋼線（例えば材質記号ＳＷＣ）が好適である。適度な弾性特性と剛性特性があるし、安価
に調達できるからである。但し、ピアノ線やオイルテンパ線やステンレス鋼線等を適用し
ても構わない。
【００３３】
また本実施形態では、第２の線状端子３２の他端部３２ｃおいて、第１の線状端子３１
との押圧接触部分よりも一端部３２ａ寄りに、ベース部材１１からの突起１３の突出延長
線が位置している。
【００３４】
ちなみに、第１、第２の線状端子３１、３２の各コイル部分３１ｂ、３２ｂが挿し込ま
れる各凸軸２５、２６は、合成樹脂製のドライブシャーシ１と一体成型されて成る。従っ
て、ドライブシャーシ１を製作するための金型を局部的に修正することで、簡易に得られ
る。但し、回路基板２０にビス等を立てることで代用も可能である。
【００３５】
このような構成のもと、光ヘッド１０が内周端位置から離れているときは、第１の線状
端子３１の他端部３１ｃと第２の線状端子３２の他端部３２ｃとの押圧接触によって、両
者が接続された状態となる（図１、図３（ａ）及び図４（ａ）参照）。この状態から、光
ヘッド１０が内周端位置に達するとき、ベース部材１１の突起１３が第２の線状端子３２
の他端部３２ｃにおける第１の線状端子３１との押圧接触部分よりも一端部３２ａ寄りに
当接して、そのまま第２の線状端子３２の他端部３２ｃを復元力に抗して押圧接触の方向
とは反対方向に押し込む。これにより、第２の線状端子３２の他端部３２ｃが第１の線状
端子３１の他端部３１ｃから離れて両者の接続が解除された状態となる（図２、図３（ｂ
）及び図４（ｂ）参照）。更に、光ヘッド１０がその内周端位置から離れると、ベース部
材１１の突起１３が第２の線状端子３２の他端部３２ｃから離れ、第２の線状端子３２の
他端部３２ｃが復元力によって戻る。これにより、第１の線状端子３１の他端部３１ｃと
第２の線状端子３２の他端部３２ｃとが押圧接触し、両者が接続された状態となる（図１
、図３（ａ）及び図４（ａ）参照）。
【００３６】
こうして、光ヘッド１０が内周端位置に達しているか否かで第１、第２の線状端子３１
、３２同士の接続状態が接続／接続解除に切り換わり、光ヘッドが内周端位置に達したこ
と、及びその内周端位置から離れたことが検知されるようになる。
【００３７】
しかも、スイッチ部材３０として、安価な金属線素材である第１、第２の線状端子３１
、３２が用いられるため、結果として光ピックアップ装置のコスト低減が可能になる。
【００３８】
なお本実施形態では、第１の線状端子３１の他端部３１ｃにおける先端部分３１ｃａが
、押圧接触の方向とは反対方向、すなわち第２の線状端子３２の他端部３２ｃが復元力に
抗して押し込まれる方向に折れ曲がって伸び出しているため、第２の線状端子３２が第１
の線状端子３１から不用意に外れてしまうのを防止できる。同様の観点から、第２の線状
端子３２の他端部３２ｃにおける先端部分３２ｃａが押圧接触の方向、すなわち復元力が
与えられる方向に折れ曲がって伸び出している。
【００３９】
次に、本考案の第２実施形態について、図５を参照しながら説明する。図５は第２実施
形態の光ピックアップ装置における光ヘッド内周端位置検知構造を示す上面図であって、
図５（ａ）、（ｂ）各々状態は、図４（ａ）、（ｂ）各々状態と同様である。なお、これ
ら図中で、図１〜図４と同じ名称で同じ機能を果たす部分には同一の符号を付し、重複す
る説明は適宜省略する。後述する第３実施形態においても同様とする。
【００４０】
本第２実施形態では、図５に示すように、第２の線状端子３２の他端部３２ｃにおける
先端部分３２ｃａが折れ曲がらずにそのまま伸び出している。そして、光ヘッド１０が内
周端位置に達するとき、ベース部材１１の突起１３が、第２の線状端子３２の他端部３２
ｃにおける第１の線状端子３１との押圧接触部分よりも外側の先端部分３２ｃａに当接し
て、そのまま第２の線状端子３２の他端部３２ｃを復元力に抗して押圧接触の方向とは反
対方向に押し込むようになっている。但しこの場合は、第１実施形態に対し、ベース部材
１１の突起１３の突出位置をずらすか、又はドライブシャーシ１への回路基板２０の取付
け位置をずらす必要がある。
【００４１】
このようにしても、光ヘッド１０が内周端位置に達しているか否かで第１、第２の線状
端子３１、３２同士の接続状態が接続／接続解除に切り換わり、光ヘッドが内周端位置に
達したこと、及びその内周端位置から離れたことが検知されるようになる。
【００４２】
次に、本考案の第３実施形態について、図６を参照しながら説明する。図６は第３実施
形態の光ピックアップ装置における光ヘッド内周端位置検知構造を示す上面図であって、
図６（ａ）、（ｂ）各々状態は、図５と同じく、図４（ａ）、（ｂ）各々状態と同様であ
る。
【００４３】
本第３実施形態では、図６に示すように、第２実施形態と同じく、第２の線状端子３２
の他端部３２ｃにおける先端部分３２ｃａが折れ曲がらずにそのまま伸び出している。そ
して、光ヘッド１０が内周端位置に達するとき、ベース部材１１における移動方向のうち
の光ディスクの内周側に向く方向での端部の角部１１ａが、第２の線状端子３２の他端部
３２ｃにおける第１の線状端子３１との押圧接触部分よりも外側の先端部分３２ｃａに当
接して、そのまま第２の線状端子３２の他端部３２ｃを復元力に抗して押圧接触の方向と
は反対方向に押し込むようになっている。従って、本実施形態では、ベース部材１１に突
起１３を敢えて形成する必要はない。但しこの場合は、第１実施形態に対し、ドライブシ
ャーシ１への回路基板２０の取付け位置をずらす必要がある。
【００４４】
このようにしても、光ヘッド１０が内周端位置に達しているか否かで第１、第２の線状
端子３１、３２同士の接続状態が接続／接続解除に切り換わり、光ヘッドが内周端位置に
達したこと、及びその内周端位置から離れたことが検知されるようになる。
【００４５】
その他本考案は上記の各実施形態に限定されず、本考案の趣旨を逸脱しない範囲で、種
々の変更が可能である。例えば、第１の線状端子３１については、その起立した他端部３
１ｃが第２の線状端子３２との押圧接触によって安易に変形しない剛性を有する限り、捩
りコイルバネ状に限らず、例えば単なるピン状であっても構わない。また、第２の線状端
子３２については、その他端部３２ｃが第１の線状端子３１の他端部３１ｃに安定して弾
性的な押圧接触ができる限り、その形状に限定はない。
【００４６】
また、第２の線状端子３２の他端部３２ｃに当接して押し込むための突起１３の形成位
置は、ベース部材１１における移動方向のうちの光ディスクの内周側に向く方向での端部
に限らず、例えば、ベース部材１１の側部に代えることも可能である。但しこの場合は、
第１実施形態に対し、ドライブシャーシ１への回路基板２０の取付け位置を大きくずらす
必要がある。
【００４７】
そしてまた、上記の各実施形態では、メインシャーシに対して回動するドライブシャー
シ１に光ヘッド１０が往復移動可能に支持された据置き型の光ピックアップ装置について
説明したが、メインシャーシに光ヘッド１０が往復移動可能に支持されて、蓋の開閉でそ
のメインシャーシ内に光ディスクを収納するタイプの光ピックアップ装置、例えば携帯型
の光ピックアップ装置にも対応が可能である。
【産業上の利用可能性】
【００４８】
本考案は、光ディスクに対して情報の再生や記録を行うための光ピックアップ装置に有
用である。
【図面の簡単な説明】
【００４９】
【図１】本考案の第１実施形態の光ピックアップ装置におけるドライブシャーシを下面側から見た斜視図であって、光ヘッドが内周端位置から離れている状態を示す。
【図２】第１実施形態の光ピックアップ装置におけるドライブシャーシを下面側から見た斜視図であって、光ヘッドが内周端位置に達している状態を示す。
【図３】第１実施形態の光ピックアップ装置における光ヘッド内周端位置検知構造を示す斜視図であって、（ａ）は光ヘッドが内周端位置から離れている状態を示し、（ｂ）は光ヘッドが内周端位置に達している状態を示す。
【図４】第１実施形態の光ピックアップ装置における光ヘッド内周端位置検知構造を示す上面図であって、（ａ）は光ヘッドが内周端位置から離れている状態を示し、（ｂ）は光ヘッドが内周端位置に達している状態を示す。
【図５】本考案の第２実施形態の光ピックアップ装置における光ヘッド内周端位置検知構造を示す上面図であって、（ａ）は光ヘッドが内周端位置から離れている状態を示し、（ｂ）は光ヘッドが内周端位置に達している状態を示す。
【図６】本考案の第３実施形態の光ピックアップ装置における光ヘッド内周端位置検知構造を示す上面図であって、（ａ）は光ヘッドが内周端位置から離れている状態を示し、（ｂ）は光ヘッドが内周端位置に達している状態を示す。
【図７】従来の光ピックアップ装置におけるドライブシャーシを下面側から見た斜視図であって、光ヘッドが内周端位置から離れている状態を示す。
【図８】従来の光ピックアップ装置におけるドライブシャーシを下面側から見た斜視図であって、光ヘッドが内周端位置に達している状態を示す。
【図９】従来の光ピックアップ装置における光ヘッド内周端位置検知構造を示す上面図であって、（ａ）は光ヘッドが内周端位置から離れている状態を示し、（ｂ）は光ヘッドが内周端位置に達している状態を示す。
【符号の説明】
【００５０】
１    ドライブシャーシ
１０    光ヘッド
１１    ベース部材
１３    突起
２０    回路基板
２１、２２    貫通孔
２５、２６    凸軸
３０    スイッチ部材
３１    第１の線状端子
３１ａ    第１の線状端子の一端部
３１ａａ    第１の線状端子の一端部の先端部分
３１ｂ    第１の線状端子のコイル部分
３１ｃ    第１の線状端子の他端部
３１ｃａ    第１の線状端子の他端部の先端部分
３２    第２の線状端子
３２ａ    第２の線状端子の一端部
３２ａａ    第２の線状端子の一端部の先端部分
３２ｂ    第２の線状端子のコイル部分
３２ｃ    第２の線状端子の他端部
３２ｃａ    第２の線状端子の他端部の先端部分
【図１】
0003111233.tif 000003
【図２】
0003111233.tif 000004
【図３】
0003111233.tif 000005
【図４】
0003111233.tif 000006
【図５】
0003111233.tif 000007
【図６】
0003111233.tif 000008
【図７】
0003111233.tif 000009
【図８】
0003111233.tif 000010
【図９】
0003111233.tif 000011